(57)【要約】【課題】包装体内でのシガレット類の揮発性香料に起因する結晶の析出を防止することが可能なシガレット類包装製品を提供する。【解決手段】包装体と、前記包装体内に収納され、少なくとも内面側に吸着材料を含む内包紙と、前記内包紙と共に前記包装体内に収納される揮発性香料を含むシガレット類とを備えたことを特徴とするシガレット類包装製品。【選択図】図１
2015013647.tif 000002
【特許請求の範囲】
【請求項１】
包装体と、
前記包装体内に収納され、少なくとも内面側に吸着材料を含む内包紙と、
前記内包紙と共に前記包装体内に収納される揮発性香料を含むシガレット類と
を備えたことを特徴とするシガレット類包装製品。
【請求項２】
前記吸着材料を含む内包紙は、ガスバリア性フィルムと前記シガレット類側に位置するガスバリア性フィルム表面に形成され、粒状もしくは粉末状の吸着材料が一部または全体に添着されたシート基材とを備える積層構造を有し、前記粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択され、かつ前記シート基材は紙または不織布であることを特徴とする請求項１記載のシガレット類包装製品。
【請求項３】
前記吸着材料を含む内包紙は、ガスバリア性フィルムとシガレット類側に位置するガスバリア性フィルム表面に形成されたシート基材とこのシート基材の一部または全体に形成された吸着材料層とを備える積層構造を有し、前記吸着材料層は炭素繊維不織布、あるいは粒状もしくは粉末状の吸着材料とバインダとの混合物を成形したシートで構成され、前記粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択されることを特徴とする請求項１記載のシガレット類包装製品。
【請求項４】
前記吸着材料を含む内包紙は、ガスバリア性フィルムとシガレット類側に位置するガスバリア性フィルム表面に形成され、一部または全面に吸着材料を含有するシート基材とを備える積層構造を有し、前記粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択されることを特徴とする請求項１記載のシガレット類包装製品。
【請求項５】
前記吸着材料を含む内包紙は、ガスバリア性フィルムと、前記シガレット類側に位置するガスバリア性フィルム表面に形成したシート状基材と、このシート状基材表面に粒状もしくは粉末状の吸着材料層を内包して形成された気体透過性シートとを備える積層構造を有し、粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択されることを特徴とする請求項１記載のシガレット類包装製品。
【請求項６】
前記ガスバリア性フィルムは、アルミニウム箔、アルミニウム蒸着紙、パーチメント紙、またはロウ紙であることを特徴とする請求項２ないし５いずれか１項記載のシガレット類包装製品。
【請求項７】
包装体と、
前記包装体内に収納された揮発性香料を含むシガレット類と、
前記包装体内に前記シガレット類と隣接して収納され、少なくとも内面側に吸着材料を含むインサータと
を備えたことを特徴とするシガレット類包装製品。
【請求項８】
前記吸着材料を含むインサータは、粒状もしくは粉末状の吸着材料が一部または全体に添着されたシート基材からなり、前記粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択され、かつ前記シート基材はプラスチックフィルム、紙または不織布であることを特徴とする請求項７記載のシガレット類包装製品。
【請求項９】
前記を含むインサータは、吸着材料層からなり、前記吸着材料層は炭素繊維不織布であることを特徴とする請求項７記載のシガレット類包装製品。
【請求項１０】
前記吸着材料を含むインサータは、シート状基材と、シガレット類側に位置するシート状基材表面に粒状もしくは粉末状の吸着材料層を内包して形成された気体透過性シートとを備え、前記シート状基材は紙または不織布であり、かつ前記粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択されることを特徴とする請求項７記載のシガレット類包装製品。
【請求項１１】
前記吸着材料を含むインサータは、粒状もしくは粉末状の吸着材料とバインダとの混合物を成形したシートであり、前記粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択されることを特徴とする請求項７記載のシガレット類包装製品。
【請求項１２】
前記吸着材料を含むインサータは、粒状もしくは粉末状の吸着材料を内包した気体透過性シートの袋からなり、前記粒状もしくは粉末状の吸着材料は活性炭、シリカ系吸着剤、ゼオライト、活性アルミナ、炭素繊維、モレキュラーシーブ、メタクリル系合成吸着剤、スチレン系合成吸着剤またはイオン交換樹脂から選択されることを特徴とする請求項７記載のシガレット類包装製品。
【請求項１３】
前記吸着材料を含むインサータは、一部または全面に吸着材料を含有するシート基材からなることを特徴とする請求項７記載のシガレット類包装製品。
【請求項１４】
包装体と、
前記包装体内に収納され、内面側に吸着材料を含む内包紙と、
前記内包紙と共に前記包装体内に収納される揮発性香料を含むシガレット類と
前記包装体内に前記内包紙の内側に位置するように収納され、内面側に吸着材料を含むインサータと
を備えたことを特徴とするシガレット類包装製品。
【請求項１５】
前記シガレット類は、たばこ充填材のロッドを巻紙で包んだシガレットロッドと、このシガレットロッドの一端に取付けられ揮発性香料含むフィルタとを備え、前記シガレットロッドおよびフィルタの少なくとも１つの部材に前記揮発性香料を含有することを特徴とする請求項１ないし１４いずれか１項記載のシガレット類包装製品。
【発明の詳細な説明】
【技術分野】
【０００１】
本発明は、シガレット類包装製品に関する。
【背景技術】
【０００２】
シガレット類包装製品は、揮発性香料（例えばメンソール）を含むシガレットを包装体（例えば紙製パッケージ）に収納した構造を有する。このようなシガレット類包装製品の蔵置において、揮発性香料の結晶がシガレットに付着してその外観性を損なう。揮発性香料の結晶化は、主に紙製パッケージが置かれた環境温度の低下により生じる。すなわち、シガレット類に含まれる揮発性香料はパッケージ内に一定温度で蔵置すると、揮発性香料が放出して蒸気の状態で飽和する。飽和した揮発性香料蒸気は、温度低下に伴って飽和蒸気圧が低下するため、一部蒸気として存在できなくなって余剰物を発生する。余剰物は、パッケージ内壁、パッケージとシガレットの間に存在する紙などに吸収される場合、結晶として析出しない。しかし、余剰物がなんらかの要因で吸収されきらなかった場合、結晶として析出する。このとき、シガレットに結晶が析出すると、シガレットの外観性を損なう。
【０００３】
特許文献１には、タバコ製品の保存容器内の湿度を制御の目的で、湿潤剤（液体）を含む吸収剤を有する透過性の容器が開示されている。
【０００４】
特許文献２には、湿度を保つための塩溶液を含む吸収剤を備え、容器に収納するシガレットの濡れを防ぐ液体不透過性層を有する容器が開示されている。
【０００５】
特許文献３には、湿潤剤を吸収層に保持し、容器に収納するたばこ製品の濡れを防ぐ液体不透過性層を有する調湿器が開示されている。
【０００６】
しかしながら、特許文献１〜３はシガレット等のたばこ製品を湿潤することを目的とし、シガレット類に含まれる揮発性香料の結晶化の抑制に寄与しない。
【０００７】
一方、シガレット類自体、例えばフィルタに吸着剤を配することが知られている。フィルタに配された吸着剤は、主流煙中の成分吸着による成分低減、または喫味制御を目的としているが、揮発性香料の結晶化抑制に有効である。しかしながら、吸着剤をフィルタに配していない銘柄製品のフィルタに結晶化の抑制を目的として吸着剤を配すると、喫味への影響が大きくなる。
【先行技術文献】
【特許文献】
【０００８】
【特許文献１】米国特許第５９７５２８８号明細書
【特許文献２】米国特許第４９３４５２４号明細書
【特許文献３】特開平２−１０９８７９号公報
【発明の概要】
【発明が解決しようとする課題】
【０００９】
本発明は、包装体内でのシガレット類の揮発性香料に起因する結晶の析出を防止することが可能なシガレット類包装製品を提供することを目的とする。
【課題を解決するための手段】
【００１０】
上記の課題を解決するために、本発明の第１側面によると、
包装体と、
前記包装体内に収納され、少なくとも内面側に吸着材料を含む内包紙と、
前記内包紙と共に前記包装体内に収納される揮発性香料を含むシガレット類と
を備えたことを特徴とするシガレット類包装製品が提供される。
【００１１】
本発明の第２側面によると、
包装体と、
前記包装体内に収納された揮発性香料を含むシガレット類と、
前記包装体内に前記シガレット類と隣接して収納され、少なくとも内面側に吸着材料を含むインサータと
を備えたことを特徴とするシガレット類包装製品が提供される。
【００１２】
本発明の第３側面によると、
包装体と、
前記包装体内に収納され、少なくとも内面側に吸着材料を含む内包紙と、
前記内包紙と共に前記包装体内に収納される揮発性香料を含むシガレット類と
前記包装体内に前記内包紙の内側に位置するように収納され、少なくとも内面側に吸着材料を含むインサータと
を備えたことを特徴とするシガレット類包装製品が提供される。
【発明の効果】
【００１３】
本発明によれば、包装体内でのシガレット類の揮発性香料に起因する結晶の析出を防止し、シガレット類への結晶の付着、外観性の低下を回避した高品位のシガレット類包装製品を提供することができる。
【図面の簡単な説明】
【００１４】
【図１】図１は、本発明の第１実施形態に係るシガレット包装製品（蓋を開けた直後状態）を示す斜視図である。
【図２】図２は、図１のシガレット包装製品の蓋を開け、内包紙の折込みを展開した状態を示す斜視図である。
【図３】図３は、図１のシガレット包装製品の内包紙を示す斜視図である。
【図４】図４は、図１のシガレット包装製品の内包紙から取り除いた内包紙片を示す斜視図である。
【図５】図５は、本発明の第２実施形態に係るシガレット包装製品を示す斜視図である。
【発明を実施するための形態】
【００１５】
以下、本発明の実施形態に係るシガレット類包装製品を詳細に説明する。
【００１６】
（第１実施形態）
第１実施形態に係るシガレット類包装製品は、包装体と、この包装体内に収納され、少なくとも内面側に吸着材料を含む内包紙と、この内包紙と共に包装体内に収納される揮発性香料を含むシガレット類とを備える。
【００１７】
包装体は、例えば紙製パッケージ（ソフトパッケージ、ハードパッケージ）または缶が挙げられる。
【００１８】
包装体内に収納される複数のシガレット類は、それぞれ、通常のシガレットまたはシガリロである。シガレットは、たばこ刻等のたばこ充填材のロッドと、このロッドの外周を包む巻紙からなるシガレットロッドを備える。シガレットロッドの一端には、チップペーパーによりフィルタを取り付けることができる。フィルタは、例えばセルロースアセテート繊維のトウをフィルタ素材として含むいわゆるセルロースアセテートフィルタであり得る。
【００１９】
シガレットは、揮発性香料を含有する。揮発性香料には、例えばアセトアニソール、アセトフェノン、アセチルピラジン、２−アセチルチアゾール、アルファルファエキストラクト、アミルアルコール、酪酸アミル、トランス−アネトール、スターアニス油、リンゴ果汁、ペルーバルサム油、ミツロウアブソリュート、ベンズアルデヒド、ベンゾインレジノイド、ベンジルアルコール、安息香酸ベンジル、フェニル酢酸ベンジル、プロピオン酸ベンジル、２，３−ブタンジオン、２−ブタノール、酪酸ブチル、酪酸、カラメル、カルダモン油、キャロブアブソリュート、β−カロテン、ニンジンジュース、Ｌ−カルボン、β−カリオフィレン、カシア樹皮油、シダーウッド油、セロリーシード油、カモミル油、シンナムアルデヒド、ケイ皮酸、シンナミルアルコール、ケイ皮酸シンナミル、シトロネラ油、ＤＬ−シトロネロール、クラリセージエキストラクト、ココア、コーヒー、コニャック油、コリアンダー油、クミンアルデヒド、ダバナ油、δ−デカラクトン、γ−デカラクトン、デカン酸、ディルハーブ油、３，４−ジメチル−１，２−シクロペンタンジオン、４，５−ジメチル−３−ヒドロキシ−２，５−ジヒドロフラン−２−オン、３，７−ジメチル−６−オクテン酸、２，３−ジメチルピラジン、２，５−ジメチルピラジン、２，６−ジメチルピラジン、２−メチル酪酸エチル、酢酸エチル、酪酸エチル、ヘキサン酸エチル、イソ吉草酸エチル、乳酸エチル、ラウリン酸エチル、レブリン酸エチル、エチルマルトール、オクタン酸エチル、オレイン酸エチル、パルミチン酸エチル、フェニル酢酸エチル、プロピオン酸エチル、ステアリン酸エチル、吉草酸エチル、エチルバニリン、エチルバニリングルコシド、２−エチル−３，（５または６）−ジメチルピラジン、５−エチル−３−ヒドロキシ−４−メチル−２（５Ｈ）−フラノン、２−エチル−３−メチルピラジン、ユーカリプトール、フェネグリークアブソリュート、ジェネアブソリュート、リンドウ根インフュージョン、ゲラニオール、酢酸ゲラニル、ブドウ果汁、グアヤコール、グァバエキストラクト、γ−ヘプタラクトン、γ−ヘキサラクトン、ヘキサン酸、シス−３−ヘキセン−１−オール、酢酸ヘキシル、ヘキシルアルコール、フェニル酢酸ヘキシル、ハチミツ、４−ヒドロキシ−３−ペンテン酸ラクトン、４−ヒドロキシ−４−（３−ヒドロキシ−１−ブテニル）−３，５，５−トリメチル−２−シクロヘキセン−１−オン、４−（パラ−ヒドロキシフェニル）−２−ブタノン、４−ヒドロキシウンデカン酸ナトリウム、インモルテルアブソリュート、β−イオノン、酢酸イソアミル、酪酸イソアミル、フェニル酢酸イソアミル、酢酸イソブチル、フェニル酢酸イソブチル、ジャスミンアブソリュート、コーラナッツティンクチャー、ラブダナム油、レモンテルペンレス油、カンゾウエキストラクト、リナロール、酢酸リナリル、ロベージ根油、マルトール、メープルシロップ、Ｌ−メンソール、メントン、酢酸Ｌ−メンチル、パラメトキシベンズアルデヒド、メチル−２−ピロリルケトン、アントラニル酸メチル、フェニル酢酸メチル、サリチル酸メチル、４’−メチルアセトフェノン、メチルシクロペンテノロン、３−メチル吉草酸、ミモザアブソリュ���ト、トウミツ、ミリスチン酸、ネロール、ネロリドール、γ−ノナラクトン、ナツメグ油、δ−オクタラクトン、オクタナール、オクタン酸、オレンジフラワー油、オレンジ油、オリス根油、パルミチン酸、ω−ペンタデカラクトン、ペパーミント油、プチグレインパラグアイ油、フェネチルアルコール、フェニル酢酸フェネチル、フェニル酢酸、ピペロナール、プラムエキストラクト、プロペニルグアエトール、酢酸プロピル、３−プロピリデンフタリド、プルーン果汁、ピルビン酸、レーズンエキストラクト、ローズ油、ラム酒、セージ油、サンダルウッド油、スペアミント油、スチラックスアブソリュート、マリーゴールド油、ティーディスティレート、α−テルピネオール、酢酸テルピニル、５，６，７，８−テトラヒドロキノキサリン、１，５，５，９−テトラメチル−１３−オキサシクロ（８．３．０．０（４．９））トリデカン、２，３，５，６−テトラメチルピラジン、タイム油、トマトエキストラクト、２−トリデカノン、クエン酸トリエチル、４−（２，６，６−トリメチル−１−シクロヘキセニル）２−ブテン−４−オン、２，６，６−トリメチル−２−シクロヘキセン−１，４−ジオン、４−（２，６，６−トリメチル−１，３−シクロヘキサジエニル）２−ブテン−４−オン、２，３，５−トリメチルピラジン、γ−ウンデカラクトン、γ−バレロラクトン、バニラエキストラクト、バニリン、ベラトルアルデヒド、バイオレットリーフアブソリュートが含まれる。なお、１本のシガレットに多量添加されることが多い揮発性香料はメンソールである。揮発性香料は、例えばたばこ充填材、フィルタまたはその両者に添加され得る。
【００２０】
内面側に吸着材料を含む内包紙は、好ましくはガスバリア性フィルムとシガレット類側に位置するガスバリア性フィルム表面に形成され、少なくとも内面側に吸着材料を含有する層とを備えた積層構造を有する。好ましい内包紙の形態を以下に示す。
【００２１】
（１）ガスバリア性フィルムとシガレット類側に位置するガスバリア性フィルム表面に形成され、粒状もしくは粉末状の吸着材料が一部または全体に添着されたシート基材とを備える積層構造を有する内包紙。
【００２２】
前記シート基材は、例えば紙または不織布を用いることができる。粒状もしくは粉末状の吸着材料の添着は、添着すべきシート基材の表面箇所（シガレット類に隣接する表面箇所）に例えばカルボキシメチルセルロース等の糊剤をコートすることにより行うことができる。
【００２３】
前記粒状もしくは粉末状の吸着材料は、例えば平均粒径１０〜５００μｍの活性炭、シリカ系吸着剤（シリカゲル含む）、ゼオライト、活性アルミナ、炭素繊維（カーボンナノチューブ、カーボンナノホーン含む）、モレキュラーシーブ、メタクリル系合成吸着剤、スチレン系合成吸着剤またはイオン交換樹脂から選択される。メタクリル系合成吸着剤は、例えば日本錬水株式会社製のダイヤイオンＨＰ１ＭＧ、ＨＰ２ＭＧ等を用いることができる。スチレン系合成吸着剤は、例えば日本錬水株式会社製のダイヤイオンＨＰ２０、ＨＰ２１等を用いることができる。
【００２４】
シート基材に吸着材料を一部添着する場合、その添着箇所はシガレット類（例えば揮発性香料が含有されたフィルタ付シガレット）のフィルタに隣接する箇所にすることが好ましい。
【００２５】
（２）ガスバリア性フィルムとシガレット類側に位置するガスバリア性フィルム表面に形成されたシート基材とこのシート基材の一部または全体に形成された吸着材料層とを備える積層構造を有する内包紙。
【００２６】
前記シート基材は、例えば紙または不織布を用いることができる。
【００２７】
前記吸着材料層は、例えば炭素繊維不織布または前述した活性炭等の粒状もしくは粉末状の吸着材料とバインダとの混合物を成形したシートを挙げることができる。バインダは、例えばアクリル樹脂、メタアクリル樹脂、ウレタン樹脂、ポリビニルアルコール樹脂、シリコン樹脂等を用いることができる。
【００２８】
シート基材に吸着材料層を一部形成する場合、その箇所はシガレット類（例えば揮発性香料が含有されたフィルタ付シガレット）のフィルタに隣接する箇所にすることが好ましい。
【００２９】
（３）ガスバリア性フィルムと、前記シガレット類側に位置するガスバリア性フィルム表面に形成したシート状基材と、このシート状基材表面に粒状もしくは粉末状の吸着材料層を内包して形成された気体透過性シートとを備える積層構造を有する内包紙。なお、粒状吸着材料層はシート状基材表面に多数の粒状もしくは粉末状の吸着材料を散在させることによって形成される。気体透過性シートに内包される粒状吸着材料層は、シート状基材表面の一部または全体に位置させることができる。
【００３０】
前記シート状基材は、例えば紙または不織布を用いることができる。
【００３１】
前記粒状もしくは粉末状の吸着材料は、例えば平均粒径１０〜５００μｍの活性炭、シリカ系吸着剤（シリカゲル含む）、ゼオライト、活性アルミナ、炭素繊維（カーボンナノチューブ、カーボンナノホーン含む）、モレキュラーシーブ、メタクリル系合成吸着剤、スチレン系合成吸着剤またはイオン交換樹脂から選択される。
【００３２】
前記気体透過性シートは、例えば薄く、高い気体透過性を有するポリスチレンフィルム、不織布シート等を用いることができる。
【００３３】
（４）ガスバリア性フィルムと、前記シガレット類側に位置するガスバリア性フィルム表面に形成され、一部または全面に吸着材料を含有するシート基材とを備える積層構造を有する内包紙。
【００３４】
前記シート基材は、例えば紙または不織布を用いることができる。
【００３５】
前記吸着材料は、例えば平均粒径１０〜５００μｍの活性炭、シリカ系吸着剤（シリカゲル含む）、ゼオライト、活性アルミナ、炭素繊維（カーボンナノチューブ、カーボンナノホーン含む）、モレキュラーシーブ、メタクリル系合成吸着剤、スチレン系合成吸着剤、またはイオン交換樹脂から選択される。
【００３６】
前記シート状基材表面の一部に粒状もしくは粉末状の吸着材料層を位置させる場合、その箇所はシガレット類（例えば揮発性香料が含有されたフィルタ付シガレット）のフィルタに隣接する箇所にすることが好ましい。
【００３７】
前記（１）〜（４）の内包紙に用いるガスバリア性フィルムは、各種のガスおよび水蒸気を遮断する機能を持つフィルムであり、例えばアルミニウム箔、アルミニウム蒸着紙、パーチメント紙、ロウ紙等を挙げることができる。
【００３８】
内包紙に含まれる吸着材料は、その量があまりに多いとシガレットを乾燥する等の喫味に影響を及ぼすおそれがある。このため、内包紙に含まれる吸着材料の量は、２０本のシガレット類が収納された包装体あたり４００ｍｇ以下にすることが好ましい。
【００３９】
次に、第１実施形態に係るシガレット類包装製品を図１を参照して具体的に説明する。図１は、本発明の第１実施形態に係るシガレット包装製品（蓋を開けた直後状態）を示す斜視図、図２は、図１のシガレット包装製品の蓋を開け、内包紙の折込みを展開した状態を示す斜視図である。
【００４０】
包装体であるヒンジ蓋型シガレットボックス１０は、図示しない外包フィルムで覆われている。シガレットボックス１０は、外側のボックス本体１２と、開閉するこれにピボット的に連設され、ボックス本体１２の開口端を開閉する蓋（ヒンジ蓋）１４を備える。ボックス本体１２は、前面壁１２１、後面壁１２２、側面壁１２３および１２４並びに底壁１２５を有する。ボックス本体１２の前面壁１２１は、上方端から部分的に切欠された切欠部１２１ａを有する。蓋１４は、ボックス本体１２の後面壁１２２に、図示しないヒンジを介して接続されている。蓋１４は、前面壁１４１、後面壁１４２、側面壁１４３および１４４並びに頂面壁１４５を有する。
【００４１】
内包紙３０は、ボックス本体１２内にその前面壁１２１、後面壁１２２、側面壁１２３および１２４並びに底壁１２５の内面に当接するように収納されている。すなわち、帯状の内包紙素材の長手方向に沿う両端を垂直に立ち上げ、内包紙素材を立ち上げ部が互に対向し、かつ一部重なるように１８０°屈曲させ、さらに屈曲部で折込むことにより、図３に示す内包紙３０が作製される。内包紙３０は、ボックス本体１２の前面壁１２１、後面壁１２２、側面壁１２３および１２４並びに底壁１２５に沿って前面部１３１、後面部１３２、立ち上げ部が重なった側面部１３３および１３４、並びに底部１３５を有する。底部１３５は、折込んで形成されている。
【００４２】
このような内包紙３０において、前面部１３１およびこれに繋がる両側の立ち上げ部にはミシン目１３６が穿孔されている。図１のように蓋１４を開け、上端が折り込まれた内包紙３０を図２のように展開した後、前面部１３１の上端を引っ張ることにより、ミシン目１３６から切断されて図４に示す前面部１３１およびこれに繋がる両側に立ち上げ部を有する内包紙片３０ａを取り出しできる。このような内包紙片３０ａを取り出すことにより後述するフィルタ付シガレット２０の束の一部がボックス本体１２の前面壁１２１の切欠部１２１ａから露出する。
【００４３】
例えば２０本のフィルタ付シガレット２０の束は、内包紙３０により直接包まれてボックス本体１２内に収容されている。各シガレット２０は、たばこ充填材のロッドを図示しない巻紙で包んだシガレットロッド２０１を備え、シガレットロッドの一端には揮発性香料が添着されたフィルタ２０２が取り付けられている。シガレット２０は、例えばメンソールシガレットであり、メンソールは例えばフィルタに添加されている。
【００４４】
前記内包紙３０は、例えばアルミニウム箔等のガスバリア性フィルムとガスバリア性フィルム内面、すなわちシガレット２０に隣接するガスバリア性フィルム表面に形成され、吸着材料（例えば粒状活性炭）が添着された紙とを備える積層構造を有する。粒状活性炭は、例えば図４に示す内包紙３０の前面部１３１における二点鎖線で示す折り曲げ線とミシン目１３６の間に位置する領域１３１ａ、つまりシガレット２０の揮発性香料が含有されたフィルタ２０２を含む部分に隣接する領域、に例えば糊剤で添着されている。
【００４５】
以上説明した第１実施形態に係るシガレット類包装製品は、揮発性香料を含むシガレット類が収納される内包紙が内面側（シガレット類側）に吸着材料を含むため、シガレット類の揮発性香料に起因する結晶化を防止することが可能になる。すなわち、揮発性香料を含むシガレット類を包装体内に一定温度で蔵置すると、揮発性香料が放出して蒸気の状態で飽和する。飽和した揮発性香料蒸気は、温度低下に伴って飽和蒸気圧が低下するため、一部蒸気として存在できなくなって余剰物を発生する。シガレット類が収納される内包紙の内面側（シガレット類側）に吸着材料を含有させることによって、前記余剰物を吸着材料で吸収できるため、揮発性香料の結晶析出を防止できる。その結果、シガレットル類への結晶の付着に起因するシガレット類の外観性の低下を防止し、高品位のシガレット類包装製品を得ることができる。
【００４６】
（第２実施形態）
第２実施形態に係るシガレット類包装製品は、包装体と、この包装体内に収納された揮発性香料を含むシガレット類と、包装体内に前記シガレット類と隣接して収納され、少なくとも内面側に吸着材料を含むインサータとを備える。
【００４７】
包装体およびシガレット類は、第１実施形態で説明したのと同様なものを用いることができる。
【００４８】
内面側に吸着材料を含むインサータは、内面側に吸着材料を含有する層から形成される。好ましいインサータの形態を以下に示す。
【００４９】
（１）粒状もしくは粉末状の吸着材料が一部または全体に添着されたシート基材からなるインサータ。シート状基材への吸着材料の添着は、添着すべきシート基材の箇所に例えばカルボキシメチルセルロース等の糊剤をコートすることにより行うことができる。
【００５０】
前記シート基材は、例えばプラスチックフィルム、紙または不織布を用いることができる。プラスチックフィルムは、汎用プラスチックフィルムを用いることができ、例えばポリエチレンフィルム、ポリプロピレンフィルム、ポリエチレンテレフタレートフィルム（ＰＥＴフィルム）等を挙げることができる。
【００５１】
前記粒状もしくは粉末状の吸着材料は、例えば平均粒径１０〜５００μｍの活性炭、シリカ系吸着剤（シリカゲル含む）、ゼオライト、活性アルミナ、炭素繊維（カーボンナノチューブ、カーボンナノホーン含む）、モレキュラーシーブ、メタクリル系合成吸着剤、スチレン系合成吸着剤またはイオン交換樹脂から選択される。前記シート基材は、例えば紙または不織布を用いることができる。
【００５２】
シート基材に吸着材料を一部添着する場合、その添着箇所はシガレット類（例えば揮発性香料が含有されたフィルタ付シガレット）のフィルタに隣接する箇所にすることが好ましい。また、インサータの長さがシガレット類より短い場合、吸着材料を一部に添着されている場合も、全面に添着されている場合も、インサータはフィルタに隣接する箇所にすることが好ましい。
【００５３】
（２）吸着材料層からなるインサータ。前記吸着材料層は、例えば炭素繊維不織布を挙げることができる。
【００５４】
（３）シート状基材と、シガレット類側に位置するシート状基材表面に粒状もしくは粉末状の吸着材料層を内包して形成された気体透過性シートとを備えるインサータ。なお、粒状もしくは粉末状の吸着材料層はシート状基材表面に多数の粒状もしくは粉末状の吸着材料を散在させることによって形成される。気体透過性シートに内包される粒状もしくは粉末状の吸着材料層は、シート状基材表面の一部または全体に位置させることができる。
【００５５】
前記シート状基材は、例えば紙または不織布を用いることができる。
【００５６】
前記粒状もしくは粉末状の吸着材料は、例えば平均粒径１０〜５００μｍの活性炭、シリカ系吸着剤（シリカゲル含む）、ゼオライト、活性アルミナ、炭素繊維（カーボンナノチューブ、カーボンナノホーン含む)、モレキュラーシーブ、メタクリル系合成吸着剤、スチレン系合成吸着剤またはイオン交換樹脂から選択される。
【００５７】
前記気体透過性シートは、例えば薄く、高い気体透過性を有するポリスチレンフィルム、不織布シート等を用いることができる。
【００５８】
前記シート状基材表面の一部に粒状もしくは粉末状の吸着材料層を位置する場合、その箇所はシガレット類（例えば揮発性香料が含有されたフィルタ付シガレット）のフィルタに隣接する箇所にすることが好ましい。
【００５９】
（４）粒状もしくは粉末状の吸着材料とバインダとの混合物を成形したシートからなるインサータ。シート中の吸着材料は、一部に分散させても、全体的に分散させてもよい。
【００６０】
前記粒状もしくは粉末状の吸着材料は、例えば平均粒径１０〜５００μｍの活性炭、シリカ系吸着剤（シリカゲル含む）、ゼオライト、活性アルミナ、炭素繊維（カーボンナノチューブ、カーボンナノホーン含む)、モレキュラーシーブ、メタクリル系合成吸着剤、スチレン系合成吸着剤またはイオン交換樹脂から選択される。前記バインダは、例えばアクリル樹脂、メタアクリル樹脂、ウレタン樹脂、ポリビニルアルコール樹脂、シリコン樹脂等を用いることができる。
【００６１】
シート中の吸着材料は、一部に分散させる場合、その分散箇所はシガレット類（例えば揮発性香料が含有されたフィルタ付シガレット）のフィルタに隣接する箇所にすることが好ましい。
【００６２】
（５）粒状もしくは粉末状の吸着材料を内包した気体透過性シートの袋からなるインサータ。
【００６３】
前記粒状もしくは粉末状の吸着材料は、例えば平均粒径１０〜５００μｍの活性炭、シリカ系吸着剤（シリカゲル含む）、ゼオライト、活性アルミナ、炭素繊維（カーボンナノチューブ、カーボンナノホーン含む)、モレキュラーシーブ、メタクリル系合成吸着剤、スチレン系合成吸着剤またはイオン交換樹脂から選択される。
【００６４】
前記気体透過性シートは、例えば薄く、高い気体透過性を有するポリスチレンフィルム、不織布シート等を用いることができる。
【００６５】
（６）一部または全面に吸着材料を含有するシート基材からなるインサータ。
【００６６】
前記シート基材は、例えば紙または不織布を用いることができる。
【００６７】
前記吸着材料は例えば平均粒径１０〜５００μｍの活性炭、シリカ系吸着剤（シリカゲル含む）、ゼオライト、活性アルミナ、炭素繊維（カーボンナノチューブ、カーボンナノホーン含む）、モレキュラーシーブ、メタクリル系合成吸着剤、スチレン系合成吸着剤、またはイオン交換樹脂から選択される。
【００６８】
前記シート状基材表面の一部に粒状もしくは粉末状の吸着材料層を位置させる場合、その箇所はシガレット類（例えば揮発性香料が含有されたフィルタ付シガレット）のフィルタに隣接する箇所にすることが好ましい。
【００６９】
次に、第２実施形態に係るシガレット類包装製品を図５を参照して具体的に説明する。なお、図５において、前述した図１と同様な部材は銅符号を付して説明を省略する。
【００７０】
シガレット類包装製品は、ボックス本体１２内のシガレット２０（揮発性香料を含むフィルタを備える）の束と内包紙３０の前面部１３１の間にインサータ４０をボックス本体１２の高さ方向に挿入した構造を有する。
【００７１】
インサータ４０は、シガレット２０の束に隣接する表面に吸着材料（例えば活性炭）が添着されたプラスチックフィルムからなる。
【００７２】
以上説明した第２実施形態に係るシガレット類包装製品は、包装体内に揮発性香料を含むシガレット類と隣接して収納されインサータがその内面側（シガレット類と隣接する側）に吸着材料を含むため、シガレット類の揮発性香料に起因する結晶化を防止することが可能になる。すなわち、揮発性香料を含むシガレット類を包装体内に一定温度で蔵置すると、揮発性香料が放出して蒸気の状態で飽和する。飽和した揮発性香料蒸気は、温度低下に伴って飽和蒸気圧が低下するため、一部蒸気として存在できなくなって余剰物を発生する。シガレット類と隣接して挿入されるインサータの内面側（シガレット類側）に吸着材料を含有させることによって、前記余剰物を吸着材料で吸収できるため、揮発性香料の結晶析出を防止できる。その結果、シガレットル類への結晶の付着に起因するシガレット類の外観性の低下を防止し、高品位のシガレット類包装製品を得ることができる。
【００７３】
本発明に係る別のシガレット類包装製品は、包装体と、前記包装体内に収納され、内面側に吸着材料を含む内包紙と、前記内包紙と共に前記包装体内に収納される揮発性香料を含むシガレット類と前記包装体内に前記内包紙の内側に位置するように収納され、内面側に吸着材料を含むインサータとを備える。このようなシガレット類包装製品は、前述した第１、第２の実施形態で説明したのと同様な作用により、揮発性香料の結晶析出を防止してシガレットル類への結晶の付着に起因するシガレット類の外観性の低下を防止し、高品位かを達成できる。
【００７４】
以下、本発明の実施例を前述した図面を参照して詳細に説明する。
【００７５】
（実施例１）
市販のシガレット（セブンスターカッティングメンソール；日本たばこ産業社製のパック内に１５０ｍｇ／個装体のメンソールを含む）を収納した前述の図１に示すシガレット包装製品を準備し、試験品として用いた。
【００７６】
試験品は、ヒンジ蓋型シガレットボックス１０の外包フィルムを除去し、蓋（ヒンジ蓋）１４を開いて一旦開封し、ボックス本体１２内の内包紙３０上端の折込部を図２に示すように展開した。その後、内包紙３０の前面部１３１上端を引っ張り、ミシン目１３６から切断することにより、図４に示す前面部１３１およびこれに繋がる両側に立ち上げ部を有する内包紙片３０ａを取り出した。取り出した内包紙片３０ａの前面部１３１における二点鎖線で示す折り曲げ線と切断した下端の間に位置する領域１３１ａの内側面（シガレット２０と接する側の面）にカルボキシメチルセルロースの糊剤をコートし、活性炭（クラレケミカル製のクラレコールＧＧＳ２８／７０）を添着させた。この活性炭の添着量は、ヒンジ蓋型シガレットボックス１０（個装体）あたり１０ｍｇとした。
【００７７】
次いで、活性炭が添着された内包紙片３０ａをヒンジ蓋型シガレットボックス１０のボックス本体１２の元の位置に挿入して戻し、再び、折込んで内包紙３０でシガレットを包み、蓋１４でボックス本体１２上部を閉じた。この個装体を外包フィルムの代わりとなる食品用ラップフィルムであるポリビニリデンクロライド（ＰＶＤＣ）フィルムでボックス本体１２および蓋１４を隙間の無いように密封し、さらにチャック付きポリプロピレン（ＰＰ）袋に入れ、極力空気を抜き密閉し、試験品を作製した。
【００７８】
（実施例２）
実施例１と同様な手順で取り出した内包紙片の所定領域に活性炭を個装体あたり２０ｍｇ添着した以外、実施例１と同様な試験品を作製した。
【００７９】
（実施例３）
実施例１と同様な手順で取り出した内包紙片の所定領域に活性炭を個装体あたり７ｍｇ添着した以外、実施例１と同様な試験品を作製した。
【００８０】
（実施例４）
実施例１と同様な手順で取り出した内包紙片の所定領域に活性炭を個装体あたり３ｍｇ添着した以外、実施例１と同様な試験品を作製した。
【００８１】
（比較例１）
実施例１と同様な手順で取り出した内包紙片の所定領域に活性炭を添着しない以外、実施例１と同様な試験品を作製した。
【００８２】
得られた実施例１〜４および比較例１の試験品について、以下のようにメンソールの結晶析出の有無の評価試験を行った。
【００８３】
＜評価試験＞
得られた試験品を２２℃の常温蔵置条件で２４時間蔵置し、個装体にメンソール蒸気が満たされるのを待ち、５℃の低温蔵置条件において１２時間蔵置した。なお、低温蔵置条件を５℃に設定した理由は１０℃、５℃、０．５℃での蔵置した結果、５℃が最も多く結晶が析出したためである。
【００８４】
低温蔵置後の試験品の結晶析出の有無について下記のような手順で確認した
(1) 試験品のＰＰ袋からＰＶＤＣフィルムで密封した個装体を取出し、さらにＰＶＤＣフィルムを除去する。
【００８５】
(2) 個装体の蓋を開け、内包紙を破らないよう上部折込部を展開し、開いた内包紙からメンソールの結晶析出の有無を確認する。この際シガレットには直接触れない。
【００８６】
(3) メンソール結晶が認められない場合、上部全面の内包紙をミシン目にそって切り取って除去し、さらに詳細にシガレットを観察してメンソールの結晶析出の有無を確認する。この際シガレットには直接触れない。
【００８７】
(4) メンソールの結晶析出が認められない場合、指でシガレット同士の間に隙間を開けメンソールの結晶析出の有無を確認する。
【００８８】
(5) メンソールの結晶析出が認められない場合、全てのシガレットを取出し、一本一本にメンソールの結晶析出が無いかを確認する。同時に内包紙の内側面（シガレットと接触している側の面）にメンソールの結晶析出がないかを確認する。
【００８９】
これら確認作業は、５名のパネラーで行ない、裸眼で目視した。
【００９０】
メンソールの結晶析出の有無は、結晶が１欠片でも発見された場合を“有”、一切発見されない場合を“無”とした。
【００９１】
確認作業は、５℃の恒温恒湿機内で行なった。
【００９２】
評価試験結果を下記表１に示す。なお、メンソールの結晶析出の有無は５名のパネラー全員の見解が一致した結果である。
【表１】
2015013647.tif 000003
【００９３】
前記表１から明らかなように内包紙に活性炭を添着した実施例１〜４のシガレット包装製品はメンソールの結晶析出がなく、高品位であることがわかる。
【００９４】
（実施例５）
市販のシガレット（セブンスターカッティングメンソール；日本たばこ産業社製のパック内に１５０ｍｇ／個装体のメンソールを含む）を収納した前述の図５に示すシガレット包装製品を準備し、試験品として用いた。
【００９５】
試験品は、ヒンジ蓋型シガレットボックス１０の外包フィルムを除去し、蓋（ヒンジ蓋）１４を開いて一旦開封し、ボックス本体１２内の内包紙３０上端の折込部を展開した。その後、活性炭を添着させたフィルム（インサータ４０）をシガレット２０と内包紙３０の前面部１３１との間に挿入した。活性炭を添着させたフィルムは、市販の粘着テープ（粘着材を片面に塗布したセロファンフィルム）を３ｃｍ×１．５ｃｍに切り取り、この粘着面に所定量の活性炭（クラレケミカル製のクラレコールＧＧＳ２８／７０）を添着させたものを用いた。この活性炭の添着量は、ヒンジ蓋型シガレットボックス１０（個装体）あたり１０ｍｇとした。インサータの挿入位置はボックス本体１２の前面、上端から１ｃｍで、シガレットのフィルタと一部接させた。
【００９６】
次いで、内包紙３０を再び、折込んで内包紙３０でシガレットを包み、蓋１４でボックス本体１２上部を閉じた。この個装体を外包フィルムの代わりとなる食品用ラップフィルムであるポリビニリデンクロライド（ＰＶＤＣ）フィルムでボックス本体１２および蓋１４を隙間の無いように密封し、さらにチャック付きポリプロピレン（ＰＰ）袋に入れ、極力空気を抜き密閉し、試験品を作製した。
【００９７】
（実施例６）
実施例５と同様な手順で挿入されるインサータの活性炭量を個装体あたり２０ｍｇとした以外、実施例５と同様な試験品を作製した。
【００９８】
（比較例２）
実施例５と同様な手順で挿入されるインサータが活性炭を添着されない以外、実施例５と同様な試験品を作製した。
【００９９】
得られた実施例５，６および比較例２の試験品について、メンソールの結晶析出の有無の評価試験を実施例１と同様に行った。
【０１００】
評価試験結果を下記表２に示す。なお、メンソールの結晶析出の有無は５名のパネラー全員の見解が一致した結果である。
【表２】
2015013647.tif 000004
【０１０１】
前記表２から明らかなようにインサータに活性炭を添着した実施例５，６のシガレット包装製品はメンソールの結晶析出がなく、高品位であることがわかる。
【符号の説明】
【０１０２】
１０…ヒンジ蓋型シガレットボックス、１２…ボックス本体、１４…蓋（ヒンジ蓋）、２０…シガレット、３０…内包紙、４０…インサータ、１３６…ミシン目。
【図１】
2015013647.tif 000005
【図２】
2015013647.tif 000006
【図３】
2015013647.tif 000007
【図４】
2015013647.tif 000008
【図５】
2015013647.tif 000009